(57)【要約】【課題】光ファイバ単心コードの外被層を簡便にまた正確な長さで除去できる光ファイバ単心コード用ストリッパを提供することを課題とするものである。【解決手段】光ファイバの心線１１を単心で被覆した光ファイバ単心コード１０を保持する保持溝３０と、この保持溝３０の内周に光ファイバ単心コード１０の外被層１４を切り込み可能な突き出し量で取り付けられたカッタ刃３１と、保持溝３０に保持された光ファイバ単心コード１０をカッタ刃３１側に押圧する押圧部４０と、カッタ刃３１による切り込み時に前記外被層１４の切り込み位置１５の端末長Ｌ１を設定できるメジャー部５０とが、フレーム２０に備えられている。【選択図】  図１
2004198518.tif 000002
【特許請求の範囲】
【請求項１】
光ファイバの心線を単心で被覆した光ファイバ単心コードを保持する保持溝と、この保持溝の内周に光ファイバ単心コードの外被層を切り込み可能な突き出し量で取り付けられたカッタ刃と、保持溝に保持された光ファイバ単心コードをカッタ刃側に押圧する押圧部と、カッタ刃による切り込み時に前記外被層の切り込み位置の端末長を設定できるメジャー部とが、フレームに備えられてなる光ファイバ単心コード用ストリッパ。
【請求項２】
請求項１記載の光ファイバ単心コード用ストリッパにおいて、光ファイバ単心コードを押圧部でカッタ刃に押圧した状態で、フレームまたは光ファイバ単心コードを回転させることにより、外被層が全周にわたって切断されるよう構成されていることを特徴とする光ファイバ単心コード用ストリッパ。
【請求項３】
請求項１または２記載の光ファイバ単心コード用ストリッパにおいて、メジャー部には、外被層の切り込み時に光ファイバ単心コードの先端を当接させる当接部と、この当接部をフレームから突出させる支持部とが備えられ、カッタ刃から当接部までの長さは、切り込み位置が所定の端末長となるよう形成されていることを特徴とする光ファイバ単心コード用ストリッパ。
【請求項４】
請求項３記載の光ファイバ単心コード用ストリッパにおいて、カッタ刃から当接部までの長さは調節可能であることを特徴とする光ファイバ単心コード用ストリッパ。
【請求項５】
請求項３記載の光ファイバ単心コード用ストリッパにおいて、メジャー部はフレームに着脱自在であり、装着時には位置決めされて取り付けられることを特徴とする光ファイバ単心コード用ストリッパ。
【請求項６】
請求項３から５のいずれかに記載の光ファイバ単心コード用ストリッパにおいて、メジャー部の当接部には光ファイバ単心コードの先端側を保持する第２保持溝が設けられていることを特徴とする光ファイバ単心コード用ストリッパ。
【請求項７】
請求項１から６のいずれかに記載の光ファイバ単心コード用ストリッパにおいて、光ファイバ単心コードの異なる外径に応じた複数の保持溝が備えられていることを特徴とする光ファイバ単心コード用ストリッパ。
【発明の詳細な説明】
【０００１】
【発明の属する技術分野】
本発明は、光ファイバが単心で被覆された光ファイバ単心コードの外被層の除去に係る技術分野に属する。
【０００２】
【従来の技術】
一般に光ファイバ単心コード１０は、図７に示すように、１本の光ファイバの心線１１に心線被覆層１２を被覆し、その周囲に抗張力体１３として糸状のアラミド繊維を配置して、これら全体を外被層１４で被覆して形成されている。
【０００３】
そして、このような光ファイバ単心コード１０の接続には、フェルールと呼ばれる接続構成部品が使用される。このフェルールには、光ファイバの心線１１を接続するための挿入孔が設けられており、光ファイバ単心コード１０から心線１１が露出されて上記挿入孔に挿入される（挿入孔は穴に限定されず、溝の場合もある）。そのため、光ファイバの接続時には、光ファイバ単心コード１０から各種の被覆層を除去する工程が必要であった。この工程では、まずフェルールを用いた接続に必要な所定量（端末長Ｌ１）の外被層１４がカッタを用いて切り取られる。次に、除去された外被層１４の断面から所定量離れた位置にハサミを入れて、抗張力体１３が切り取られる。そして、専用の装置に位置決めされて取り付けられ、心線被覆層１２が心線１１を傷つけないように加熱により取り除かれる。これにより所望の長さの心線１１を露出させることができる。なお、外被層１４の除去にカッタが用いられるのは、ニッパが除去に適さないからである。その理由は、ニッパのように軸に対して刃が回転運動する場合には、ニッパの刃の軸に近い側は深く切り込まれ、軸に遠い側は浅く切り込まれるので、心線１１の損傷や切り込み不足が生じるためである。
【０００４】
【発明が解決しようとする課題】
上述したように心線１１はフェルールを用いて接続するためにあらかじめ規定された長さ分を正確に露出させなければならない。しかしながら上述の除去の工程では、外被層１４が最初に除去され、その長さに応じて、順次各層が除去される。すなわち、最後に露出させる心線１１の長さが、最初に除去される外被層１４の除去長さの正確さに影響される。上述のような工程ではカッタの使用の前に、定規を用いて光ファイバ単心コードの先端からの長さを測り、外被層１４に目印を付けて、その目印を頼りに切り込みが行われる。そのため、外被層１４を正確に除去することが困難であるだけでなく、工程が煩雑であった。
【０００５】
また、カッタの使用により作業者が手指を傷つけることも懸念されるだけでなく、作業者の技能によっても仕上がり具合にバラツキを生じやすかった。
【０００６】
このような課題を考慮して、本発明では、光ファイバ単心コードの外被層を簡便にまた正確な長さで除去できる光ファイバ単心コード用ストリッパを提供することを課題とするものである。
【０００７】
【課題を解決するための手段】
上記課題を解決するために、本発明の光ファイバ単心コード用ストリッパは、次のような手段を採用する。
【０００８】
すなわち、請求項１では、光ファイバの心線を単心で被覆した光ファイバ単心コードを保持する保持溝と、この保持溝の内周に光ファイバ単心コードの外被層を切り込み可能な突き出し量で取り付けられたカッタ刃と、保持溝に保持された光ファイバ単心コードをカッタ刃側に押圧する押圧部と、カッタ刃による切り込み時に前記外被層の切り込み位置の端末長を設定できるメジャー部とが、フレームに備えられてなる。
【０００９】
この手段では、光ファイバ単心コードがメジャー部により所定の端末長が設定されながら保持溝に保持され、押圧部でカッタ刃側に押圧されると、カッタ刃により外被層分が切り込みされる。
【００１０】
また、請求項２では、請求項１記載の光ファイバ単心コード用ストリッパにおいて、光ファイバ単心コードを押圧部でカッタ刃に押圧した状態で、フレームまたは光ファイバ単心コードを回転させることにより、外被層が全周にわたって切断されるよう構成されていることを特徴とする。
【００１１】
この手段では、光ファイバ単心コードが保持溝に保持されてカッタ刃が外被層に切り込んだ状態で、フレームまたは光ファイバ単心コードのいずれか一方が回転されると、外被層の全周をカッタ刃が切り込みし、外被層が切断される。
【００１２】
また、請求項３では、請求項１または２記載の光ファイバ単心コード用ストリッパにおいて、メジャー部には、外被層の切り込み時に光ファイバ単心コードの先端を当接させる当接部と、この当接部をフレームから突出させる支持部とが備えられ、カッタ刃から当接部までの長さは、切り込み位置が所定の端末長となるよう形成されていることを特徴とする。
【００１３】
この手段では、光ファイバ単心コードの先端からの長さを測らなくても、メジャー部の当接部に光ファイバ単心コードの先端をあてがって、カッタ刃により切り込みを施すだけで、光ファイバ単心コードに規定されている所定の端末長の位置に切り込み位置が形成される。
【００１４】
また、請求項４では、請求項３記載の光ファイバ単心コード用ストリッパにおいて、カッタ刃から当接部までの長さは調節可能であることを特徴とする。
【００１５】
この手段では、切り込み位置の端末長を変更することが可能となる。
【００１６】
また、請求項５では、請求項３記載の光ファイバ単心コード用ストリッパにおいて、メジャー部はフレームに着脱自在であり、装着時には位置決めされて取り付けられることを特徴とする。
【００１７】
この手段では、メジャー部が着脱自在であるため、使用しないときにはフレームから取り外せるので、携帯性や保管性が向上される。また、位置決めされて取り付けられるので、何度繰り返しても同じ位置への取り付けが再現される。
【００１８】
また、請求項６では、請求項３から５のいずれかに記載の光ファイバ単心コード用ストリッパにおいて、メジャー部の当接部には光ファイバ単心コードの先端側を保持する第２保持溝が設けられていることを特徴とする。
【００１９】
この手段では、当接部に光ファイバ単心コードを当接させるときに、先端側が第２保持溝に保持されるため、端末長の設定時の安定性が向上される。
【００２０】
また、請求項７では、請求項１から６のいずれかに記載の光ファイバ単心コード用ストリッパにおいて、光ファイバ単心コードの異なる外径に応じた複数の保持溝が備えられていることを特徴とする。
【００２１】
この手段では、外径の異なる光ファイバ単心コードに対して複数種類のストリッパを用意する必要がなくなる。
【００２２】
【発明の実施の形態】
以下、本発明の光ファイバ単心コード用ストリッパの実施の形態について図面に基づいて説明する。図１は実施の形態（１）の外観の斜視図、図２は実施の形態（１）の動作を示す側面図、図３は図１のＡ−Ａ線で切断した切り込み時の断面図、図４は実施の形態（１）の切り込み時の説明図である。
【００２３】
実施の形態（１）の光ファイバ単心コード用ストリッパ１は、光ファイバの心線１１を単心で被覆した光ファイバ単心コード１０を保持する保持溝３０と、この保持溝３０の内周に光ファイバ単心コード１０の外被層１４を切り込み可能な突き出し量で取り付けられたカッタ刃３１と、保持溝３０に保持された光ファイバ単心コード１０をカッタ刃３１側に押圧する押圧部４０と、カッタ刃３１による切り込み時に前記外被層１４の切り込み位置１５の端末長Ｌ１を設定できるメジャー部５０とが、フレーム２０に備えられている。
【００２４】
この実施の形態では、フレーム２０は略平板状を呈し、このフレーム２０の側面２６に保持溝３０が形成されている。そして、この保持溝３０に保持された光ファイバ単心コード１０の先端を当接させるために、メジャー部５０はフレーム２０から突出するように取り付けられている。また、押圧部４０は、カッタ刃３１の位置で光ファイバ単心コード１０を押し付けるために保持溝３０を横切って動作するようフレーム２０に取り付けられている。
【００２５】
まず、フレーム２０は、略同形のフレーム部材２１、２２が重ねられて固着（カシメ、接着、溶着等）されている。全体として略平板状を呈しているが、保持溝３０の他の側面には、作業者の握りやすさ等を配慮した曲面が形成されている。そして、このフレーム２０の長手方向の側面２６に形成された保持溝３０は、断面が略Ｕ字型を呈しており、この保持溝３０の両側の開口には、保持溝３０の長さを延長し、光ファイバ単心コード１０に対する保持力を向上させるためにリブ３２、３２が設けられている。また、保持溝３０の溝方向（フレーム２０の厚み方向）の中央付近では、フレーム部材２１、２２の境界でカッタ刃３１が挟持されており、保持溝３０の内周側にカッタ刃３１が突出している。このカッタ刃３１の突き出し量Ｌ２は、光ファイバ単心コード１０の外被層１４を切り込み可能な量に設定されている。この突き出し量Ｌ２は、外被層１４が完全には切断されず僅かに残るように設定され、心線１１や抗張力体１３への切り込みが生じないように配慮されている。
【００２６】
また、フレーム２０の側面２６には、光ファイバ単心コード１０を切り込む際に押圧部４０を収容するための収容溝２３が、カッタ刃３１に対応する位置で保持溝３０を横切るように形成されている。この収容溝２３は、フレーム部材２１、２２の境界で形成されており、側面２６の一部を除いて、側面２６からフレーム２０の短手方向の側面２７にまで連続して細長く形成されている。そして、フレーム２０の内部には、押圧部４０が収容溝２３に収容されるよう回動させるための支点２４と、押圧部４０を係止させるための突起部２５も設けられている。これら収容溝２３、支点２４、突起部２５等は、フレーム部材２１、２２の境界に設けられた凹凸を組み合わせて形成されている。
【００２７】
さらに詳述すると、保持溝３０は、フレーム２０の側面に複数が並列に形成されており、種類によって外径の異なる光ファイバ単心コード１０でも、１つの光ファイバ単心コード用ストリッパ１を使用できるように、各保持溝３０は異なる内径に設定されている。なお、保持溝３０の奥部３２の内径は、保持する光ファイバ単心コード１０の外径よりもわずかに大きく形成されており、光ファイバ単心コード１０は奥部３２の曲面に沿って保持される。この実施の形態（１）では、光ファイバ単心コード１０の３種類の外径に応じた３つの保持溝３０を備えた形態を図示している。３つの保持溝３０は、例えばΦ２ｍｍ用、Φ３ｍｍ用、Φ４ｍｍ用のように設定されるが、この他の寸法に設定しても、保持溝３０の数を変更してもよい。これらの保持溝３０は、押圧部４０を共通化しているため、各溝の奥部３２の位置は、径の大きなものほどフレーム２０の側面２６から深く入り込んだ位置に形成されている。そして、カッタ刃３１の突き出し量Ｌ２は、光ファイバ単心コード１０の種類毎の外被層１４の厚みに応じて、適宜設定されている。
【００２８】
押圧部４０は、保持溝３０のカッタ刃３１の上に載置された光ファイバ単心コード１０を、その上からカッタ刃３１側に押し付けて、確実に外被層１４への切り込みを形成させる。押圧部４０は支点２４を中心に回動するため、てこのように動作させることで、容易に押圧力を生じることができる。実施の形態（１）の押圧部４０は棒状の金属を屈曲させて形成されており、フレーム２０の支点２４に回動自在に取り付けるための鉤型部４１と、光ファイバ単心コード１０をカッタ刃３１側に平行に押圧する直線部４２と、作業者が押圧部４０を操作するために形成された曲線状の操作部４３と、収容溝２３に収容した状態を保持し光ファイバ単心コード１０への押圧力を発生させるために突起部２５に係止する係止部４４とを備えている。また、押圧部４０を形成する金属と収容溝３０とはわずかな隙間となるよう寸法が構成されており、押圧部４０は収容溝３０に位置ずれすることなく収容され、確実にカッタ刃３１の上の光ファイバ単心コード１０を押さえることができる。
【００２９】
メジャー部５０は、外被層１４の切り込み時に光ファイバ単心コード１０の先端１６を当接させる当接部５１と、この当接部５１をフレーム２０から突出させる支持部５２とが備えられている。支持部５２は２本の棒状の部材であり、フレーム２０に設けられた穴部２８と、当接部５１に設けられた穴部５３に圧入されている。そして、この支持部５２により平板状の当接部５１がフレーム２０の板面と平行になるよう支持されている。そして、当接部５１とカッタ刃３３との距離が、光ファイバ単心コード１０の切り込みの端末長Ｌ１となるように寸法が設定されている。この端末長Ｌ１は、光ファイバの心線１１のフェルール等を用いた接続に際してあらかじめ規定された値である。なお、支持部５２の当接部５１やフレーム２０への圧入は、いずれか一方または双方をＥ型リングによる係止に変更してもよい。
【００３０】
このように構成された実施の形態（１）の光ファイバ単心コード用ストリッパ１の動作について説明する。まず、押圧部４０を上げた状態で、光ファイバ単心コード１０を保持溝３０に載置しながら、その先端１６をメジャー部５０の当接部５１に当接させる。そして、その状態のまま押圧部４０を支点２４を中心に回動させ、押圧部４０が収容溝２３に収容されるよう操作する。そして、押圧部４０の係止部４４が突起部２５に係止するよう操作部４３を押し付けると、直線部４２により光ファイバ単心コード１０がカッタ刃３１側へ押圧され、この押圧力で外被層１４に切り込みが施される。このとき切り込みは光ファイバ単心コード１０のカッタ刃３１側にしか施されていないが、光ファイバ単心コード１０を手で持ってフレーム２０のみを１回転させると、切り込みが外被層１４の全周に施される。そして、外被層１４にカッタ刃３１が切り込んだ状態で、フレーム２０が先端１６側に引き抜かれる。これにより、完全には切断分離しない程度に切り込まれていた外被層１４が端末長Ｌ１で完全に分離されて切り取られ、図７に示すように抗張力体１３と心線被覆層１２に覆われた心線１１が露出する。この後は、従来の工程と同様に、抗張力体１３と心線被覆層１２とが順次取り除かれ最終的に心線１１が露出される。
【００３１】
このように、実施の形態（１）の光ファイバ単心コード用ストリッパ１では、ストリッパ自体にメジャー部５０が設けられ、このメジャー部５０に光ファイバ単心コード１０の先端１５を当接させるだけで、所定の端末長Ｌ１の位置に外被層１４の切り込みを行うことができる。そのため、従来のように定規で測ったり、目印をつけたりする作業の負担がなくなるだけでなく、作業者が手指を傷つける心配もなく、端末長Ｌ１を正確に除去することができる。
【００３２】
次に本発明の実施の形態（２）の光ファイバ単心コード用ストリッパについて図面に基づいて説明する。図５は実施の形態（２）の外観の斜視図である。なお、実施の形態（２）は実施の形態（１）の変形例であるため、同様の説明は同一符号を付して詳細を省略する。
【００３３】
実施の形態（２）の光ファイバ単心コード用ストリッパ１は、メジャー部５０の当接部５１に、光ファイバ単心コード１０の先端１６側を保持する第２保持溝５４が設けられていることを特徴とする。
【００３４】
図５では、第２保持溝５４として、板状の当接部５１のフレーム２０側に、保持溝３０のリブ３２と同形状の突起を第２リブ５５として設け、第２リブ５５の略Ｕ字型に屈曲した底の部位を溝として使用している。実施の形態（２）も３つの保持溝３０を備えているため、これらに適応する高さやピッチで第２保持溝５４を３つ設けており、第２リブ５５は略Ｕ字型が３つ横に連続したような形状を有している。なお、第２保持溝５４の形状は、これに限定するものではなく、板状の当接部５１に、切り欠きとして第２保持溝を形成したり、当接部５１の手前に挿入孔のような穴を形成したりしてもしてもよい。
【００３５】
このように、当接部５１にも光ファイバ単心コード１０の先端側を保持する溝を設けることにより、光ファイバ単心コード１０の端末長Ｌ１をメジャー部５０で設定する際に、位置決めしやすく作業性が向上される。その他の作用、効果は実施の形態（１）と同様である。
【００３６】
次に、本発明の実施の形態（３）の光ファイバ単心コード用ストリッパについて図面に基づいて説明する。図６は実施の形態（３）の一部を分解した斜視図である。なお、実施の形態（３）も実施の形態（１）の変形例であるため、同様の説明は同一符号を付して詳細を省略する。
【００３７】
実施の形態（３）の光ファイバ単心コード用ストリッパ１は、メジャー部５０がフレーム２０に着脱自在であり、装着時には位置決めされて取り付けられるとともに、カッタ刃３１から当接部５１までの長さが調節可能であることを特徴としている。
【００３８】
この実施の形態では、フレーム２０には、実施の形態（１）の穴部２８に替えて、雌ねじ部２９を設け、支持部５２のフレーム２０側に雄ねじ部５９を設け、雄ねじ部５９が雌ねじ部２９にねじ止めされるよう構成している。さらに、支持部５２が当接部５１に圧入されるのではなく、支持部５２の先端に雌ねじ部５６が設けられるとともに、先端側から弾性体５７としてコイルバネが嵌め込まれており、当接部５１の背面からナット５８で支持部５２がねじ止めされるように構成されている。これにより、フレーム２０にメジャー部５０を取り付けるときに位置決めして取り付け、メジャー部５０を使用しないときには容易に取り外すことができる。そして、当接部５１をフレーム２０側に押し付けてナット５８を締めることで、カッタ刃３１と当接部５１の距離を短くすることができ、ナット５８の締め付け度合いで、端末長Ｌ１の設定を調節することができる。なお、ナット５８を支持部５２の雌ねじ部５６のどの位置にすると、端末長Ｌ１がいくつになるかが簡単にわかるように、雌ねじ部５６等に目盛を表示してもよい。
【００３９】
このように構成することで、実施の形態（３）では、メジャー部５０を使用時にのみフレーム２０に取り付けることができるため、全体の保管や携帯において利便性が高められ、さらに端末長Ｌ１の長さ変更にも簡単に応じることができる。この他の作用、効果は実施の形態（１）と同様である。
【００４０】
【発明の効果】
以上、詳述してきたように本発明の光ファイバ単心コード用ストリッパは、光ファイバ単心コードの外被層を切り込んでこれを除去することができるだけでなく、外被層の切り込みの端末長を切り込み時に、定規で測ることなく設定することができる。これにより、外被層の除去の工程を簡単にまた正確に行うことができるため、結果的にこの工程に起因する光ファイバの心線の露出を正確な長さで実施することができる。
【図面の簡単な説明】
【図１】実施の形態（１）の外観の斜視図である。
【図２】実施の形態（１）の動作を示す側面図である。
【図３】図１のＡ−Ａ線で切断した切り込み時の断面図である。
【図４】実施の形態（１）の切り込み時の説明図である。
【図５】実施の形態（２）の外観の斜視図である。
【図６】実施の形態（３）の一部を分解した斜視図である。
【図７】光ファイバ単心コードの説明図である。
【符号の説明】
１  光ファイバ単心コード用ストリッパ
１０  光ファイバ単心コード
１１  心線
１２  心線被覆層
１３  抗張力体
１４  外被層
１５  切り込み位置
１６  先端
２０  フレーム
２１、２２  フレーム部材
２３  収容溝
２４  支点
２５  突起部
２６、２７  側面
２８  穴部
２９  雌ねじ部
３０  保持溝
３１  カッタ刃
３２  リブ
３２  奥部
４０  押圧部
４１  鈎型部
４２  直線部
４３  操作部
４４  係止部
５０  メジャー部
５１  当接部
５２  支持部
５３  穴部
５４  第２保持溝
５５  第２リブ
５６  雌ねじ部
５７  弾性体
５８  ナット
５９  雄ねじ部
【図１】
2004198518.tif 000003
【図２】
2004198518.tif 000004
【図３】
2004198518.tif 000005
【図４】
2004198518.tif 000006
【図５】
2004198518.tif 000007
【図６】
2004198518.tif 000008
【図７】
2004198518.tif 000009